【手続補正書】
【提出日】平成20年1月15日(2008.1.15)
【手続補正１】
【補正対象書類名】明細書
【補正対象項目名】特許請求の範囲
【補正方法】変更
【補正の内容】
【特許請求の範囲】   
【請求項１】底部に排水口を形成した洗浄水を貯水するタンクと、前記排水口を開閉する弁体と、前記弁体に連結された連結部材と、この連結部材を引き上げて前記弁体を開弁する操作手段と、前記弁体の閉弁動作を規制するために上下に移動可能に前記弁体と連携したピストン部を内挿し前記ピストン部が上下移動することにより前記タンクに貯水された洗浄水が流入排出する通水穴を有するシリンダー部とを備え、通水穴の開口面積を調節する開口面積調節手段により、前記ピストン部の下降時に、前記開口面積を変化させて、前記ピストン部の下降速度を調整することを特徴とする洗浄水タンク装置。
【請求項２】前記開口面積調節手段が前記通水穴内に進入後退可能なスライド部材で構成され、このスライド部材により前記通水穴の一部を閉塞することを特徴とする請求項１に記載の洗浄水タンク装置。 
【請求項３】前記スライド部材に前記通水穴の開口面積より小さく開口面積が異なる複数の開口部を設け、スライド部材が前記通水穴内に進入したときに前記複数の開口部のいずれかと前記通水穴とが連通することを特徴とする請求項２に記載の洗浄水タンク装置。 
【請求項４】前記シリンダー部に逆止弁を設け、前記ピストン部が上昇するときに前記逆止弁が開弁してシリンダ部内に洗浄水が流入し、前記ピストン部が下降するときに閉弁することを特徴とする請求項１乃至３のいずれかに記載の洗浄水タンク装置。
【請求項５】前記逆止弁を前記通水穴とこの通水穴を直接開放閉鎖するフラッパーで構成したことを特徴とする請求項４に記載の洗浄水タンク装置。 
【請求項６】底部に排水口を形成した洗浄水を貯水するタンクと、前記排水口を開閉する弁体と、前記弁体に連結された連結部材と、この連結部材を引き上げて前記弁体を開弁し大流量洗浄及び小流量洗浄の操作を行なう操作手段と、前記弁体の閉弁動作を規制するために上下に移動可能に前記弁体と連携したピストン部を内挿し前記ピストン部が上下移動することにより前記タンクに貯水された洗浄水が流入排出する通水穴を有するシリンダー部と、前記大流量洗浄の場合と小流量洗浄の場合で前記ピストン部の下降速度を切替える下降速度切替手段とを備え、通水穴の開口面積を調節する開口面積調節手段により、前記ピストン部の下降時に、前記開口面積を変化させて、前記ピストン部の下降速度を調整することを特徴とする洗浄水タンク装置。
【請求項７】前記下降速度切替手段が前記大流量洗浄の場合と小流量洗浄の場合とにより前記通水穴の開口面積を調節切替する開口面積調節切替手段であることを特徴とする請求項６に記載の洗浄水タンク装置。 
【請求項８】前記開口面積調節切替手段が、前記シリンダー部を前記ピストン部の上下移動により振り子状に揺動可能に軸支して前記大流量洗浄の操作時と小流量洗浄の操作時とでの前記シリンダー部の揺動方向が異なる方向とし、前記シリンダー部が揺動することにより小流量洗浄操作時に前記通水穴を開放し、大流量洗浄操作時に前記通水穴を閉塞するか若しくはその開口面積を小流量洗浄時の前記開口面積より小さくするための閉塞部材を備えたことを特徴とする請求項７に記載の洗浄水タンク装置。  
【請求項９】前記開口面積調節切替手段を前記シリンダー部と前記閉塞部材で構成し、前記閉塞部材に前記タンク内と連通する連通孔を設け、前記小流量洗浄の場合に前記通水穴と前記連通孔とが連絡することを特徴とする請求項７に記載の洗浄水タンク装置。 
【請求項１０】前記シリンダー部の上方側部に上方に向って据え広がり状のスリット部を設けるとともに、前記ピストン部に前記スリット部に内装される突部を設けこの突部が前記ピストン部が上下移動するときに前記スリット部の左右側部のいずれかに当接して前記シリンダー部を揺動させることを特徴とする請求項８または９に記載の洗浄水タンク装置。 
【請求項１１】前記通水穴内に進入後退可能なスライド部材を備え、このスライド部材により前記通水穴の一部を閉塞することを特徴とする請求項６乃至１０のいずれかに記載の洗浄水タンク装置。 
【請求項１２】前記スライド部材に前記通水穴の開口面積より小さく開口面積が異なる複数の開口部を設け、スライド部材が前記通水穴内に進入したときに前記複数の開口部のいずれかと前記通水穴とが連通することを特徴とする請求項１１に記載の洗浄水タンク装置。 
【請求項１３】前記シリンダー部に逆止弁を設け、前記ピストン部が上昇するときに前記逆止弁が開弁してシリンダ部内に洗浄水が流入し、前記ピストン部が下降するときに閉弁することを特徴とする請求項６乃至１２のいずれかに記載の洗浄水タンク装置。 
【請求項１４】前記逆止弁を前記通水穴とこの通水穴を直接開放閉鎖するフラッパーで構成したことを特徴とする請求項１３に記載の洗浄水タンク装置。 
【請求項１５】前記シリンダー部を前記タンク内に配設したオーバーフロー管に係止することを特徴とする請求項１乃至１４のいずれかに記載の洗浄水タンク装置。  
【請求項１６】前記シリンダー部を前記オーバーフロー管にスライド可能に係止することを特徴とする請求項１５に記載の洗浄水タンク装置。 
【請求項１７】前記シリンダー部を前記タンクの上端部に係止することを特徴とする請求項１乃至１４のいずれかに記載の洗浄水タンク装置。 
【請求項１８】前記連結部材が前記操作手段と直接連結され、前記ピストン部に前記連結部材の中途を係止することを特徴とする請求項１乃至１７のいずれかに記載の洗浄水タンク装置。  
【請求項１９】前記連結部材が前記操作手段と前記ピストン部とを連結する第１の連結部材と、前記ピストン部と前記弁体とを連結する第２の連結部材とで構成することを特徴とする請求項１乃至１７のいずれかに記載の洗浄水タンク装置。 
【請求項２０】前記連結部材を係止するために前記ピストン部に連結部材係止部を設けたことを特徴とする請求項１乃至１９のいずれかに記載の洗浄水タンク装置。  
【請求項２１】前記連結部材係止部が前記突部と兼用していることを特徴とする請求項２０に記載の洗浄水タンク装置。 
【請求項２２】前記ピストン部が前記シリンダー部内を上下移動する際にシリンダー部に対して回転移動することを特徴とする請求項１乃至２１のいずれかに記載の洗浄水タンク装置。
【手続補正２】
【補正対象書類名】明細書
【補正対象項目名】０００４
【補正方法】変更
【補正の内容】
【０００４】   
【課題を解決するための手段および作用・効果】 
請求項１に記載の洗浄水タンク装置は、底部に排水口を形成した洗浄水を貯水するタンクと、前記排水口を開閉する弁体と、前記弁体に連結された連結部材と、この連結部材を引き上げて弁体を開弁する操作手段と、前記弁体の閉弁動作を規制するために上下に移動可能に前記弁体と連携したピストン部を内挿し前記ピストン部が上下移動することにより前記タンクに貯水された洗浄水が流入排出する通水穴を有するシリンダー部とを備え通水穴の開口面積を調節する開口面積調節手段により、前記ピストン部の下降時に、前記開口面積を変化させて、前記ピストン部の下降速度を調整することを特徴とする。このような構造とすることで、洗浄操作後ピストン部がシリンダー部内の水を通水穴を介してタンク内に排出しながら下降し、それに伴って弁体が閉弁動作を行なう。このときシリンダー部に設けられた通水穴の面積を所定の面積に、またシリンダー部とピストン部との隙間を所定の隙間に調節することによりピストン部が下降する時間つまり弁体が降下する時間を制御でき、弁体が着座する排水口端位置までの水をすべて排出させることができる。タンク底部の貯水を有効に使えるため規定の洗浄水量を確保しようとするならばタンク洗浄水の初期水位を下げることができ、ローシルエット便器への対応が考えられる。また、弁体はピストン部との連結部材が張った状態でゆっくりと閉まるため弁体の閉止音は発生しない。
さらには、通水穴の面積が調節され容易にピストン部の下降速度が調節でき、弁体が弁座に着座する時間を制御でき便器に応じて最適な水量の洗浄水を供給することができる。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
請求項２に記載の洗浄水タンク装置は、前記開口面積調節手段が前記通水穴内に進入後退可能なスライド部材で構成され、このスライド部材により前記通水穴の一部を閉塞することを特徴とする。このような構成とすることで、スライド部材を通水穴内に進入させて通水穴の一部を閉塞して簡単に通水穴の開口面積を可変でき、ピストン部の下降速度及び弁体の閉弁時間の調節が容易に行なえる。スライド部材の通水穴内への進入後退は、通水穴と対向する面から行なってもよいし、通水穴と並行する方向で行なってもよい。
【手続補正６】
【補正対象書類名】明細書
【補正対象項目名】０００８
【補正方法】変更
【補正の内容】
【０００８】
請求項３に記載の洗浄水タンク装置は、前記スライド部材に前記通水穴の開口面積より小さく開口面積が異なる複数の開口部を設け、スライド部材が前記通水穴内に進入したときに前記複数の開口部のいずれかと前記通水穴とが連通することを特徴とする。このような構成とすることで、便器に応じてスライド部材に設けた複数の開口部のいずれかと前記通水穴を連絡することにより、前記便器に最適な洗浄水が供給される。
【手続補正７】
【補正対象書類名】明細書
【補正対象項目名】０００９
【補正方法】変更
【補正の内容】
【０００９】
請求項４に記載の洗浄水タンク装置は、前記シリンダー部に逆止弁を設け、前記ピストン部が上昇するときに前記逆止弁が開弁してシリンダ部内に洗浄水が流入し、前記ピストン部が下降するときに閉弁することを特徴とする。このような構成とすることで、ピストン部を引き上げるときにシリンダー部内に洗浄水の流入がスムースに行われ、引き上げる荷重すなわち操作手段の操作力が軽くなり、また、操作手段による引き上げ操作を開放した後、ピストン部が下降するときは逆流防止弁が閉弁するのでピストン部の下降速度への影響が少ない。
【手続補正８】
【補正対象書類名】明細書
【補正対象項目名】００１０
【補正方法】変更
【補正の内容】
【００１０】
請求項５に記載の洗浄水タンク装置は、前記逆止弁を前記通水穴とこの通水穴を直接開放閉鎖するフラッパーで構成したことを特徴とする。このような構成とすることで、ピストン部を引き上げるときにフラッパーが開放され通水穴が開口されてシリンダー部内に洗浄水の流入がスムースに行われ、引き上げる荷重すなわち操作手段の操作力が軽くなり、また、操作手段による引き上げ操作を開放した後、ピストン部が下降するととともにフラッパーが通水穴を閉鎖する。ピストン部が下降するときシリンダー部内に流入した洗浄水は、ピストン部とシリンダー部の隙間から流出する。
【手続補正９】
【補正対象書類名】明細書
【補正対象項目名】００１１
【補正方法】変更
【補正の内容】
【００１１】
請求項６に記載の洗浄水タンク装置は、底部に排水口を形成した洗浄水を貯水するタンクと、前記排水口を開閉する弁体と、前記弁体に連結された連結部材と、この連結部材を引き上げて前記弁体を開弁し大流量洗浄及び小流量洗浄の操作を行なう操作手段と、前記弁体の閉弁動作を規制するために上下に移動可能に前記弁体と連携したピストン部を内挿し前記ピストン部が上下移動することにより前記タンクに貯水された洗浄水が流入排出する通水穴を有するシリンダー部と、前記大流量洗浄の場合と小流量洗浄の場合で前記ピストン部の下降速度を切替える下降速度切替手段とを備え、通水穴の開口面積を調節する開口面積調節手段により、前記ピストン部の下降時に、前記開口面積を変化させて、前記ピストン部の下降速度を調整することを特徴とする。このような構成とすることで、大流量洗浄または小流量洗浄のいずれの場合も洗浄操作後ピストン部がシリンダー部内の水を通水穴を介してタンク内に排出しながら下降し、それに伴って弁体が閉弁動作を行なう。このときシリンダー部に設けられた通水穴の面積を所定の面積に、またシリンダー部とピストン部との隙間を所定の隙間に調節することによりピストン部が下降する時間つまり弁体が降下する時間を制御でき、弁体が着座する排水口端位置までの水をすべて排出させることができる。タンク底部の貯水を有効に使えるため規定の洗浄水量を確保しようとするならばタンク洗浄水の初期水位を下げることができ、ローシルエット便器への対応が考えられる。また、弁体はピストン部との連結部材が張った状態でゆっくりと閉まるため弁体の閉止音は発生しない。
【手続補正１０】
【補正対象書類名】明細書
【補正対象項目名】００１２
【補正方法】変更
【補正の内容】
【００１２】
請求項７に記載の洗浄水タンク装置は、前記下降速度切替手段が前記大流量洗浄の場合と小流量洗浄の場合とにより前記通水穴の開口面積を調節切替する開口面積調節切替手段であることを特徴とする。このような構成とすることで、大流量洗浄の場合と小流量洗浄の場合のそれぞれに応じて通水穴の面積を調節し容易にピストン部の下降速度が調節できる。また、大流量洗浄の場合と小流量洗浄の場合のそれぞれに応じて弁体の閉止時間を調節することができる。
【手続補正１１】
【補正対象書類名】明細書
【補正対象項目名】００１３
【補正方法】変更
【補正の内容】
【００１３】
請求項８に記載の洗浄水タンク装置は、前記開口面積調節切替手段が、前記シリンダー部を前記ピストン部の上下移動により振り子状に揺動可能に軸支して前記大流量洗浄の操作時と小流量洗浄の操作時とでの前記シリンダー部の揺動方向が異なる方向とし、前記シリンダー部が揺動することにより小流量洗浄操作時に前記通水穴を開放し、大流量洗浄操作時に前記通水穴を閉塞するか若しくはその開口面積を小流量洗浄時の前記開口面積より小さくするための閉塞部材を備えたことを特徴とする。このような構成とすることで、洗浄操作時においてシリンダー部が揺動するだけで大流量洗浄、小流量洗浄の切り替えができる。
【手続補正１２】
【補正対象書類名】明細書
【補正対象項目名】００１４
【補正方法】変更
【補正の内容】
【００１４】
請求項９に記載の洗浄水タンク装置は、前記開口面積調節切替手段を前記シリンダー部と前記閉塞部材で構成し、前記閉塞部材に前記タンク内と連通する連通孔を設け、前記小流量洗浄の場合に前記通水穴と前記連通孔とが連絡することを特徴とする。このような構成とすることで、簡単な構造で通水穴の開口面積を調節する機構が実現できる。
【手続補正１３】
【補正対象書類名】明細書
【補正対象項目名】００１５
【補正方法】変更
【補正の内容】
【００１５】
請求項１０に記載の洗浄水タンク装置は、前記シリンダー部の上方側部に上方に向って据え広がり状のスリット部を設けるとともに、前記ピストン部に前記スリット部に内装される突部を設けこの突部が前記ピストン部が上下移動するときに前記スリット部の左右側部のいずれかに当接して前記シリンダー部を揺動させることを特徴とする。このような構成とすることで、シリンダー部を揺動させるために特別な機構を必要とせずピストン部を上下移動だけでシリンダー部を容易に揺動させることができる。
【手続補正１４】
【補正対象書類名】明細書
【補正対象項目名】００１６
【補正方法】変更
【補正の内容】
【００１６】
請求項１１に記載の洗浄水タンク装置は、前記通水穴内に進入後退可能なスライド部材を備え、このスライド部材により前記通水穴の一部を閉塞することを特徴とする。このような構成とすることで、スライド部材を通水穴内に進入させて簡単に通水穴の開口面積を可変でき、ピストン部の下降速度及び弁体の閉弁時間の調節が容易に行なえる。
【手続補正１５】
【補正対象書類名】明細書
【補正対象項目名】００１７
【補正方法】変更
【補正の内容】
【００１７】
請求項１２に記載の洗浄水タンク装置は、前記スライド部材に前記通水穴の開口面積より小さく開口面積が異なる複数の開口部を設け、スライド部材が前記通水穴内に進入したときに前記複数の開口部のいずれかと前記通水穴とが連通することを特徴とする。このような構成とすることで、便器に応じてスライド部材に設けた複数の開口部のいずれかと前記通水穴を連絡することにより、前記便器に最適な洗浄水が供給される。
【手続補正１６】
【補正対象書類名】明細書
【補正対象項目名】００１８
【補正方法】変更
【補正の内容】
【００１８】
請求項１３に記載の洗浄水タンク装置は、前記シリンダー部に逆止弁を設け、前記ピストン部が上昇するときに前記逆止弁が開弁してシリンダ部内に洗浄水が流入し、前記ピストン部が下降するときに閉弁することを特徴とする。このような構成とすることで、ピストン部を引き上げるときにシリンダー部内に洗浄水の流入がスムースに行われ、引き上げる荷重すなわち操作手段の操作力が軽くなり、また、操作手段による引き上げ操作を開放した後、ピストン部が下降するときは逆流防止弁が閉弁するのでピストン部の下降速度への影響が少ない。
【手続補正１７】
【補正対象書類名】明細書
【補正対象項目名】００１９
【補正方法】変更
【補正の内容】
【００１９】
請求項１４に記載の洗浄水タンク装置は、前記逆止弁を前記通水穴とこの通水穴を直接開放閉鎖するフラッパーで構成したことを特徴とする。このような構成とすることで、ピストン部を引き上げるときにフラッパーが開放され通水穴が開口されてシリンダー部内に洗浄水の流入がスムースに行われ、引き上げる荷重すなわち操作手段の操作力が軽くなり、また、操作手段による引き上げ操作を開放した後、ピストン部が下降するととともにフラッパーが通水穴を閉鎖する。ピストン部が下降するときシリンダー部内に流入した洗浄水は、ピストン部とシリンダー部の隙間から流出する。
【手続補正１８】
【補正対象書類名】明細書
【補正対象項目名】００２０
【補正方法】変更
【補正の内容】
【００２０】
請求項１５に記載の洗浄水タンク装置は、前記シリンダー部を前記タンク内に配設したオーバーフロー管に係止することを特徴とする。このような構成とすることで、シリンダー部、ピストン部がタンク内に内装されタンクの外観を損なうことがない。
【手続補正１９】
【補正対象書類名】明細書
【補正対象項目名】００２１
【補正方法】変更
【補正の内容】
【００２１】
請求項１６に記載の洗浄水タンク装置は、前記シリンダー部を前記オーバーフロー管にスライド可能に係止することを特徴とする。このような構成とすることで、便器に供給する洗浄水供給量、タンク内の洗浄水の貯水水位に応じてシリンダー部を最適な位置に設置することが容易にできる。
【手続補正２０】
【補正対象書類名】明細書
【補正対象項目名】００２２
【補正方法】変更
【補正の内容】
【００２２】
請求項１７に記載の洗浄水タンク装置は、前記シリンダー部を前記タンクの上端部に係止することを特徴とする。このような構成とすることで、例えばシリンダー部にタンクの上端部に引っ掛かるような部位を設け、その部位をタンクに引掛けるだけでタンクへの組み付けが簡単に行なえる。
【手続補正２１】
【補正対象書類名】明細書
【補正対象項目名】００２３
【補正方法】変更
【補正の内容】
【００２３】
請求項１８に記載の洗浄水タンク装置は、前記連結部材が前記操作手段と直接連結され、前記ピストン部に前記連結部材の中途を係止することを特徴とする。このような構成とすることで、操作レバーハンドルと連結したアーム部などの操作手段とピストン部とを連結する玉鎖などの連結部材と、ピストン部と弁体とを連結する連結部材を別々に設ける必要がなく、構造が簡単で、組み立ても容易となる。
【手続補正２２】
【補正対象書類名】明細書
【補正対象項目名】００２４
【補正方法】変更
【補正の内容】
【００２４】
請求項１９に記載の洗浄水タンク装置は、前記連結部材が前記操作手段と前記ピストン部とを連結する第１の連結部材と、前記ピストン部と前記弁体とを連結する第２の連結部材とで構成することを特徴とする。このような構造とすることで、操作手段と、ピストン部と、弁体の各々の配置に多少の変更があっても容易に対応できる。
【手続補正２３】
【補正対象書類名】明細書
【補正対象項目名】００２５
【補正方法】変更
【補正の内容】
【００２５】
請求項２０に記載の洗浄水タンク装置は、前記連結部材を係止するために前記ピストン部に連結部材係止部を設けたことを特徴とする。このような構造とすることで、所定の位置への連結部材の係止が可能となる。
【手続補正２４】
【補正対象書類名】明細書
【補正対象項目名】００２６
【補正方法】変更
【補正の内容】
【００２６】
請求項２１に記載の洗浄水タンク装置は、前記連結部材係止部が前記突部と兼用していることを特徴とする。このような構造とすることで、ピストンと連結部材の連結部をシリンダーの側面から外へ突起した部分に設けることができるので連結部材の接続が容易になると共に、連結部材の絡み、ねじれも防止することができる。
【手続補正２５】
【補正対象書類名】明細書
【補正対象項目名】００２７
【補正方法】変更
【補正の内容】
【００２７】
請求項２２に記載の洗浄水タンク装置は、前記ピストン部が前記シリンダー部内を上下移動する際にシリンダー部に対して回転移動することを特徴とする。このような構成とすることで、ピストン部とシリンダー部との間隙に異物などが進入してもピストン部の上下回転移動によりシリンダー部内をセルフクリーニングすることとなる。